【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
患者を冷却するためのシステムであって、
凍結固体粒子を取り込んだ流動ガス流を発生させるための手段と、
前記流動ガス流を前記患者の呼吸系の一部ではない体表にわたって通過させるための手段であって、前記固体粒子は、体熱を吸収し、前記患者の体温を低下させるために融解する、手段と
を備える、システム。
【請求項２】
前記体表は、体腔内である、請求項１に記載のシステム。
【請求項３】
前記体腔は、腹腔または胃である、請求項２に記載のシステム。
【請求項４】
通過させるための手段は、前記流動ガス流を腹壁を通して前記体腔内に導入するための手段と、前記流動ガス流を前記腹壁を通して前記体腔から除去するための手段とを備える、請求項３に記載のシステム。
【請求項５】
導入するための手段および除去するための手段は、前記腹壁を通して位置付けられた入口導管および出口導管を備え、前記流動ガス流は、前記入口導管を通して導入され、前記出口導管を通して流出する、請求項４に記載のシステム。
【請求項６】
前記入口導管は、前記出口導管と別個であり、前記腹壁上の対向場所を通して導入される、請求項５に記載のシステム。
【請求項７】
前記入口導管および出口導管は、前記腹壁内の単一穿刺を通して導入される、単一構造内で組み合わせられる、請求項５に記載のシステム。
【請求項８】
前記システムは、前記流動ガス流を前記患者の皮膚に暴露するための手段をさらに備える、請求項１に記載のシステム。
【請求項９】
前記皮膚は、前記患者の胴体にわたる皮膚を含む、請求項８に記載のシステム。
【請求項１０】
前記流動ガス流は、前記胴体の少なくとも一部を被覆する、ジャケット構造の真下に指向される、請求項９に記載のシステム。
【請求項１１】
前記システムは、前記流動ガス流を冷却するための手段と、液体液滴を前記流動ガス流中に注入するための手段とをさらに備える、請求項１に記載のシステム。
【請求項１２】
前記ガスは膨張して、断熱冷却を生じさせる、請求項１１に記載のシステム。
【請求項１３】
前記液滴は、後続ガス流中に注入される前、またはそれにつれて冷却される、請求項１１に記載のシステム。
【請求項１４】
前記液体は、水を含み、前記ガスは、空気または窒素を含む、請求項１１に記載のシステム。
【請求項１５】
前記凍結粒子は、氷であり、前記流動ガス流は、空気または窒素である、請求項１１に記載のシステム。
【請求項１６】
患者を冷却するためのシステムであって、
凍結固体粒子をその中に取り込む、流動ガス流を生産する、発生器と、
前記流動ガス流を前記患者の呼吸系の一部ではない体表に指向するための手段と
を備える、システム。
【請求項１７】
前記発生器は、前記ガスを冷却するための冷却器と、前記流動ガス流を生産するためのポンプと、液体を前記冷却された流動ガス流中に注入し、前記ガス流内に凍結粒子を生産するためのノズルとを備える、請求項１６に記載のシステム。
【請求項１８】
前記指向する手段は、腹壁を穿刺し、前記流動ガス流を腹腔または胃に導入するための少なくとも１つの管状要素を備える、請求項１６に記載のシステム。
【請求項１９】
前記流動ガス流を導入するための第１の管状部材と、前記流動ガス流を除去するための第２の管状部材とを備える、請求項１７に記載のシステム。
【請求項２０】
前記指向する手段は、前記患者にわたって載置し、前記患者の胴体にわたって流動を指向するためのジャケットを備える、請求項１６に記載のシステム。
【請求項２１】
前記指向する手段は、安全針を含む、請求項１８に記載のシステム。
【手続補正２】
【補正対象書類名】明細書
【補正対象項目名】００２３
【補正方法】変更
【補正の内容】
【００２３】
本発明は、例えば、以下を提供する：
（項目１）
患者を冷却するための方法であって、
凍結固体粒子を取り込んだ流動ガス流を発生させることと、
前記流動ガス流を前記患者の呼吸系の一部ではない体表にわたって通過させることであって、前記固体粒子は、体熱を吸収し、前記患者の体温を低下させるために融解する、ことと
を含む、方法。
（項目２）
前記体表は、体腔内である、項目１に記載の方法。
（項目３）
前記体腔は、腹腔または胃である、項目２に記載の方法。
（項目４）
通過させることは、前記流動ガス流を腹壁を通して前記体腔内に導入することと、前記流動ガス流を前記腹壁を通して前記体腔から除去することとを含む、項目３に記載の方法。
（項目５）
導入することおよび除去することは、前記腹壁を通して、入口導管および出口導管を位置付けることを含み、前記流動ガス流は、前記入口導管を通して導入され、前記出口導管を通して流出する、項目４に記載の方法。
（項目６）
前記入口導管は、前記出口導管と別個であり、前記腹壁上の対向場所を通して導入される、項目５に記載の方法。
（項目７）
前記入口導管および出口導管は、前記腹壁内の単一穿刺を通して導入される、単一構造内で組み合わせられる、項目５に記載の方法。
（項目８）
通過させることは、前記流動ガス流を前記患者の皮膚に暴露することを含む、項目１に記載の方法。
（項目９）
前記皮膚は、前記患者の胴体にわたる皮膚を含む、項目８に記載の方法。
（項目１０）
前記流動ガス流は、前記胴体の少なくとも一部を被覆する、ジャケット構造の真下に指向される、項目９に記載の方法。
（項目１１）
ミストを発生させることは、前記流動ガス流を冷却することと、液体液滴を前記流動ガス流中に注入することとを含む、項目１に記載の方法。
（項目１２）
前記ガスを冷却することは、前記ガスを膨張させ、断熱冷却を生じさせることを含む、項目１１に記載の方法。
（項目１３）
前記ミストを発生させることはさらに、後続ガス流中に注入される前、またはそれにつれて、前記液滴を冷却することを含む、項目１１に記載の方法。
（項目１４）
前記液体は、水を含み、前記ガスは、空気または窒素を含む、項目１１に記載の方法。
（項目１５）
前記凍結粒子は、氷であり、前記流動ガス流は、空気または窒素である、項目１１に記載の方法。
（項目１６）
患者を冷却するためのシステムであって、
凍結固体粒子をその中に取り込む、流動ガス流を生産する、発生器と、
前記流動ガス流を前記患者の呼吸系の一部ではない体表に指向するための手段と
を備える、システム。
（項目１７）
前記発生器は、前記ガスを冷却するための冷却器と、前記流動ガス流を生産するためのポンプと、液体を前記冷却された流動ガス流中に注入し、前記ガス流内に凍結粒子を生産するためのノズルとを備える、項目１６に記載のシステム。
（項目１８）
前記指向する手段は、腹壁を穿刺し、前記流動ガス流を腹腔または胃に導入するための少なくとも１つの管状要素を備える、項目１１に記載のシステム。
（項目１９）
前記流動ガス流を導入するための第１の管状部材と、前記流動ガス流を除去するための第２の管状部材とを備える、項目１７に記載のシステム。
（項目２０）
前記指向する手段は、前記患者にわたって載置し、前記患者の胴体にわたって流動を指向するためのジャケットを備える、項目１６に記載のシステム。
（項目２１）
前記手段を指向する手段は、安全針を含む、項目１８に記載のシステム。
（発明の概要）
本発明は、選択的に、低体温を誘発させる、患者の改善された冷却のための方法およびシステムを提供する。本方法およびシステムは、凍結固体粒子が取り込まれたミストまたは懸濁液を搬送する、流動ガス流の生産に依拠する。流動ガス流は、患者の呼吸系の一部ではない体表を通過され、凍結ミスト粒子の少なくとも一部は、結果として生じる相変化が、大量の体熱を吸収し、したがって、体温を低下させるように融解されるであろう。凍結粒子溶融からの相変化（または、ある場合には、昇華）から生じるエンタルピー熱吸収は、冷却ガス流自体を使用して可能となるであろうものよりはるかに多くの熱吸収を提供する。呼吸系内のもの以外の体表の冷却はまた、多くのそのような表面が、容易にアクセスされることができ、治療時、患者が呼吸している必要がないため、有利である。